(57)【特許請求の範囲】
【請求項１】
釣竿の端部に着脱自在に取り付けられる栓体であって、
繊維強化プラスチックにより形成された筒状の外部体と、
該外部体に形成された開口から該外部体の内部に挿入及び固定された棒状の第１挿入部と、該第１挿入部に連続的に繋がり、前記釣竿の内径より大きい第１外径と該内径より小さい第２外径との間で変化する外径を有し、前記釣竿に形成された開口から該釣竿の内部に挿入される棒状の第２挿入部と、を含む内部体と、
を具備し、
前記外部体は、その上端から挿入及び固定されたコルクを有し、
前記第１挿入部は、前記コルクとの間に空隙を有する長さに形成されており、
前記空隙は、前記栓体が水に浮くように定められている栓体。
【請求項２】
該コルクは、接着剤により該外部体に固定される請求項１に記載の栓体。
【請求項３】
前記外部体は、前記釣竿と略同一の外径を有する、請求項１に記載の栓体。
【請求項４】
前記外部体は、前記釣竿と同一の材料により形成されたものである、請求項１から請求項３のいずれか１項に記載の栓体。
【請求項５】
前記外部体は、該外部体の内部に挿入された前記第１挿入部の上端に隣接した空隙を、該内部において有する、請求項１から請求項４のいずれかに記載の栓体。
【請求項６】
筒状の釣竿本体と、
該釣竿本体に着脱自在に取り付けられた栓体と、を具備する釣竿であって、
前記栓体は、
繊維強化プラスチックにより形成された筒状の外部体と、
該外部体に形成された開口から該外部体の内部に挿入及び固定された棒状の第１挿入部と、該第１挿入部に連続的に繋がり、前記釣竿の内径より大きい第１外径と該内径より小さい第２外径との間で変化する外径を有し、前記釣竿に形成された開口から該釣竿の内部に挿入される棒状の第２挿入部と、を含む内部体と、
を備え、
前記外部体は、その上端から挿入及び固定されたコルクを有し、
前記第１挿入部は、前記コルクとの間に空隙を有する長さに形成されており、
前記空隙は、前記栓体が水に浮くように定められている釣竿。
【発明の詳細な説明】
【技術分野】
【０００１】
本発明は、釣竿の上端部に着脱自在に取り付けられる上栓（栓体）に関する。
【背景技術】
【０００２】
釣竿の上端部に着脱自在に取り付けられる上栓としては、特開２００１−３２１０２８号公報（特許文献１）に記載されたものが知られている。この文献に記載された上栓は、釣竿（元竿）の上端部に形成された開口から釣竿の中に中竿及び穂先竿が収納された後、釣竿の上端部の開口を塞ぐように上端部に着脱自在に取り付けられる。この上栓は、木材や金属により構成され、釣竿の外径より大きい外径を有する円筒型の本体部と、この本体部に一体的に形成され、釣竿の内径に合致する外径を有する円筒型の挿入部と、を含む。この上栓は、挿入部が釣竿の上端部に形成された開口から釣竿の内部に収容されることにより、釣竿の上端部に取り付けられる。これにより、釣竿の内部に収容された中竿及び穂先竿が釣竿から飛び出す事態を防止することができる。
【先行技術文献】
【特許文献】
【０００３】
【特許文献１】特開２００１−３２１０２８号公報
【発明の概要】
【発明が解決しようとする課題】
【０００４】
近年、上栓は、釣竿から中竿及び穂先竿が飛び出すことを防止するためだけでなく、釣竿に取り付けられた状態において釣竿とともに優れた外観を表現するものであることが期待されている。
【０００５】
そこで、本実施の形態により、優れた外観を表現する栓体を提供する。
【課題を解決するための手段】
【０００６】
一実施形態に係る栓体は、釣竿の端部に着脱自在に取り付けられる栓体であって、繊維強化プラスチックにより形成された筒状の外部体と、該外部体に形成された開口から該外部体の内部に挿入及び固定された棒状の第１挿入部と、該第１挿入部に連続的に繋がり、前記釣竿の内径より大きい第１外径と該内径より小さい第２外径との間で変化する外径を有し、前記釣竿に形成された開口から該釣竿の内部に挿入される棒状の第２挿入部と、を含む内部体と、を具備する。
一実施形態に係る釣竿は、筒状の釣竿本体と、該釣竿本体に着脱自在に取り付けられた栓体と、を具備する釣竿であって、前記栓体が、繊維強化プラスチックにより形成された筒状の外部体と、該外部体に形成された開口から該外部体の内部に挿入及び固定された棒状の第１挿入部と、該第１挿入部に連続的に繋がり、前記釣竿の内径より大きい第１外径と該内径より小さい第２外径との間で変化する外径を有し、前記釣竿に形成された開口から該釣竿の内部に挿入される棒状の第２挿入部と、を含む内部体と、を備える。
【発明の効果】
【０００７】
本実施の形態により、優れた外観を表現する栓体を提供することができる。
【図面の簡単な説明】
【０００８】
【図１】図１は、本発明の一実施形態に係る釣竿の構成を部分的に示す側面図である。
【図２】図２は、図１に示した釣竿に取り付けられた栓体の構成を示す側面図である。
【発明を実施するための形態】
【０００９】
以下、様々な実施形態を適宜図面を参照して説明する。なお、図面における共通する構成要素には同一の参照符号が付されている。また、各図面は、便宜上、必ずしも同一の縮尺により示されているとは限らない。
【００１０】
図１は、本発明の一実施形態に係る釣竿の構成を部分的に示す側面図である。図２は、図１に示した釣竿に取り付けられた栓体の構成を示す側面図である。
【００１１】
図１に示すように、釣竿（元竿）２００には栓体３００が着脱自在に取り付けられている。
釣竿２００は、筒状の形状を有し、例えば繊維強化プラスチック（ＦＲＰ）により構成されたものである。釣竿２００は、上端部２０２において、内径Ｉ１及び外径Ｏ１を有する。釣竿２００は、上端部２０２から後端部（図示せず）にわたって略同一の内径及び外径（すなわち、内径Ｉ１及び外径Ｏ１のそれぞれと略同一の内径及び外径）を有するものであってもよいし、上端部２０２から後端部（図示せず）に向かって徐々に増加する内径及び外径を有するものであってもよい。
【００１２】
釣竿２００は、その内部に（図示しない）中竿及び穂先竿を収容する。釣竿２００は、上端部２０２に形成された開口２０４から、内部に収容された中竿及び穂先竿を外部に振り出し、また、外部に振り出された中竿及び穂先竿を内部に収容する。
【００１３】
図２に示すように、栓体３００は、筒状の外部体３１０と、外部体３１０とは別体として形成され、外部体３１０に取り付けられた丸棒状の内部体３２０と、を含む。外部体３１０は、例えばＦＲＰにより構成されたものであり、下端部３１２において、内径Ｉ２及び外径Ｏ２を有する。外部体３１０は、上端部３１４から下端部３１２にわたって略同一の内径及び外径（すなわち、内径Ｉ２及び外径Ｏ２のそれぞれと略同一の内径及び外径）を有するものであってもよいし、上端部３１４から下端部３１２に向かって徐々に増加する内径及び外径を有するものであってもよい。
【００１４】
外部体３１０は、外部体３１０の上端部３１４に形成された開口３１８から挿入され固定された丸棒状のコルク３１９を含む。開口３１８は、コルク３１９が挿入された後、塗料３１５により覆われる。
【００１５】
内部体３２０は、例えば、木材の粉末と樹脂との混合物を用いて型成形により形成された強化木により構成されたものであり、丸棒状の第１挿入部３２２と、第１挿入部３２２に連続的に繋がった丸棒状の第２挿入部３２６と、を含む。第１挿入部３２２は、栓体３００の下端部３１２の内径Ｉ２よりわずかに小さい内径Ｉ３を有し、外部体３１０の下端部３１２に形成された開口３１６から外部体３１０の内部に挿入され、接着剤を用いて外部体３１０の内壁に固定される。第１挿入部３２２は、第１挿入部３２２とコルク３１９との間に所定の空隙Ｄが形成されるような長さを有するものである。
この空隙Ｄは、次の２つの目的のために設けられたものである。まず、このような空隙Ｄを設けないときには、コルク３１９の高さと第１挿入部３２２の高さとの合計が、外部体３１０の高さと等しい、という条件が満たされなくてはならない。ところが、この条件は、これらの製造誤差が生ずることによって、又は、接着剤がコルク３１９と第１挿入部３２２との間に流れ込むこと等によって、満たされなくなることがある。この場合には、コルク３１９の上端が外部体３１０から飛び出てしまう。よって、このような問題に対処すべく空隙Ｄが形成されている。
さらには、栓体３００は、釣竿２００に取り付けられるものであることから明らかなように、川や海等において用いられるものであるので、使用者が操作を誤って栓体３００を水の中に落とすことが考えられる。この場合に備えて、空隙Ｄを設けておけば、この空隙Ｄが、その中に収容した空気によって栓体３００に対して浮力を生じさせ、栓体３００が水に浮くことができる（沈まない）。これにより、使用者は、即座に栓体３００を水から回収することができる。
なお、この空隙Ｄのサイズは、例えば、栓体３００を構成する材料の比重との関係で、最終的に栓体３００が水に浮くように、定めることができるものである。
【００１６】
第２挿入部３２６は、第１外径とこの第１外径より小さい第２外径との間で変化する外径を有する。具体的には、例えば、第２挿入部３２６は、上端部３２６ａから下端部３２６ｂに向かって徐々に増加する外径を有する。第２挿入部３２６には、上端部３２６ａから下端部３２６ｂに向かって延びるスリット３２８が形成されている。第２挿入部３２６は、スリット３２８を中心にして、右側部３２６Ａ及び左側部３２６Ｂを含むものと考えることができる。このスリット３２８が形成されていることにより、右側部３２６Ａ及び左側部３２６Ｂは、ともに、それらの側面において第２挿入部３２６の中心軸に向かう方向に押圧されると、中心軸に向かって撓むことができる。よって、第２挿入部３２６は、図２に示した状態では、下端部３２６ｂにおいて、釣竿２００の上端部２０２における内径Ｉ１より大きい第１外径として外径Ｏ４を有するが、図１に示すような釣竿２００に挿入された状態では、内径Ｉ１より小さい第２外径として外径Ｏ５を有する。図１に示した状態では、右側部３２６Ａ及び左側部３２６Ｂは、ともに、図２に示した状態に戻ろうと作用することにより、釣竿２００の内面を押圧するので、結果として、栓体３００は、釣竿２００に固定される。
【００１７】
次に、図２に示した栓体３００の製造方法の一例を説明する。
まず、ＦＲＰにより構成された長い筒状の部材が用意される。次に、この筒状の部材の外面に対して、シゴキ塗装やスプレー塗装などの技術を用いた塗装が施される。この筒状の部材の外面は、好ましくは、図１に示した釣竿２００におけるものと略同一の色及び模様を表現するように塗装される。より好ましくは、この筒状の部材の外面は、竹に酷似した色及び模様を表現するように塗装される。なお、竹に酷似した色及び模様を表現するように塗装する手法としては、従来から知られている任意のものを用いることができる。
【００１８】
次に、このように塗装された筒状の部材が所定の長さごとに切断されることにより、複数の短い筒状の部材が作製される。これらの短い筒状の部材の各々が上述した外部体３１０とされる。この外部体３１０に対して上述した強化木により構成された内部体３２０が取り付けられる。具体的には、内部体３２０の第１挿入部３２２の外面に接着剤が付与された後、この第１挿入部３２２が、外部体３１０の下端部３１２に形成された開口３１６から、外部体３１０の内部に挿入され固定される。
【００１９】
次に、コルク３１９の外面に接着剤が付与された後、このコルク３１９が、外部体３１０の上端部３１４に形成された開口３１８から、外部体３１０の内部に挿入され固定される。この後、開口３１９を塞ぐために外部体３１０の上端部３１４に塗料３１５が付与される。これにより、図２に示した栓体３００が作製される。
【００２０】
このように作製された栓体３００は、図１に示した釣竿２００に着脱自在に取り付けられる。まず、栓体３００の第２挿入部３２６の下端部３２６ｂが、釣竿２００の上端部２０２に形成された開口２０４に向かって押圧されると、第２挿入部３２６の右側部３２６Ａ及び左側部３２６Ｂが内側に向かって撓む。これにより、下端部３２６ｂの外径Ｏ４は、釣竿２００の上端部２０２の内径Ｉ１より小さく変化して外径Ｏ５となる。このまま第２挿入部３２６が下方に（釣竿２００に近づく方向に）押圧されると、右側部３２６Ａ及び左側部３２６Ｂが釣竿２００の内面を摺動しながら釣竿２００の内部に向かって進行していく。この後、図１に示すように、外部体３１０の下端部３１２の端面が釣竿２００の上端部２０２の端面と当接する。この状態において、右側部３２６Ａ及び左側部３２６Ｂが釣竿２００の内面を押圧している。これにより、栓体３００は釣竿２００に固定される。この状態では、外部体３１０及び釣竿２００が、同一の材料（例えばＦＲＰ）により形成され、略同一の色及び模様を表現するように塗装されていることにより、外部体３１０と釣竿２００とが協働して一体的な外観を表現することができる。さらには、外部体３１０の下端部３１２の外径Ｏ２が釣竿２００の上端部２０２の外径Ｏ１と略同一であることにより、外部体３１０と釣竿２００とはあたかも１つの連続した筒状の部材であるかのような外観を呈する。
【００２１】
逆に、図１に示した状態において、栓体３００が上方に向かって引張られると、右側部３２６Ａ及び左側部３２６Ｂが釣竿２００の内面を摺動しながら釣竿２００の開口２０４に向かって進行していく。右側部３２６Ａ及び左側部３２６Ｂ全体が釣竿２００の外部に出ると、第２挿入部３２６の下端部３２６ｂの外径は、図２に示すように、釣竿２００の上端部２０２の内径Ｉ１より大きい外径Ｏ４に戻る。
【００２２】
このように、本実施形態によれば、栓体３００の外部体３１０が、釣竿２００と同一の材料（例えばＦＲＰ）により構成され、釣竿２００と略同一の色及び模様を表現するように塗装されていることにより、外部体３１０と釣竿２００とが一体となった外観（例えば１本の竹竿のような外観）を呈することができる。また、外部体３１０の外径が釣竿２００の外径と略同一となるように形成されていることにより、外部体３１０と釣竿２００とが１つの連続した筒状の部材であるかのような外観（例えば１本の竹竿のような外観）を呈することができる。これにより、優れた外観を表現する栓体を提供することができる。
【符号の説明】
【００２３】
２００  釣竿（元竿）
３００  栓体
３１０  外部体
３２０  内部体
３２２  第１挿入部
３２６  第２挿入部
Ｄ  空隙
【図１】
0005860743.tif 000002
【図２】
0005860743.tif 000003